(57)【要約】【課題】好適な付勢力を与えることができる付勢部材，光学部品及び光学装置を提供する。【解決手段】付勢部材（４０）は、互いに対向して備えられた第１の平面（４１−１）及び第２の平面（４１−２）を有する支持部（４１）と、第１の平面（４１−１）から屈折して備えられた第１の付勢部（４２−１）と、第２の平面（４１−２）から屈折して第１の付勢部（４２−１）に対向して備えられた第２の付勢部（４２−２）とを含む。【選択図】図３
2009015072.tif 000002
【特許請求の範囲】
【請求項１】
互いに対向して備えられた第１の平面及び第２の平面を有する支持部と、
前記第１の平面から屈折して備えられた第１の付勢部と、
前記第２の平面から屈折して前記第１の付勢部に対向して備えられた第２の付勢部とを含むこと、
を特徴とする付勢部材。
【請求項２】
請求項１に記載の付勢部材において、
前記第１の平面及び前記第２の平面の少なくとも一方は、取り付け用の係合溝を有すること、
を特徴とする付勢部材。
【請求項３】
請求項１又は請求項２に記載の付勢部材において、
前記第１の付勢部及び前記第２の付勢部の少なくとも一方は、付勢状態を維持する折り曲げ部を有すること、
を特徴とする付勢部材。
【請求項４】
請求項１から請求項３までのいずれか１項に記載の付勢部材において、
この付勢部材は、１つの板材を折り曲げて形成されていること、
を特徴とする付勢部材。
【請求項５】
請求項１から請求項４までのいずれか１項に記載の付勢部材と、
固定部材に対して相対的に回転する回転部材とを含む光学部品であって、
前記付勢部材は、前記第１の平面及び前記第２の平面が前記固定部材に固定され、前記第１の付勢部及び前記第２の付勢部の少なくとも一方が前記回転部材を付勢すること、
を特徴とする光学部品。
【請求項６】
請求項５に記載の光学部品において、
前記固定部材は、突起部を有し、
前記付勢部材は、前記第１の平面と前記第２の平面とで前記突起部を挟み込んでいること、
を特徴とする光学部品。
【請求項７】
請求項６に記載の光学部品において、
前記第１の平面及び前記第２の平面の少なくとも一方は、取り付け用の係合溝を有し、
前記突起部は、前記係合溝と係合する係合部を有すること、
を特徴とする光学部品。
【請求項８】
請求項５から請求項７までのいずれか１項に記載の光学部品において、
前記回転部材は、その外縁に段差部を有し、
前記付勢部材の付勢部は、付勢状態を維持する折り曲げ部を有し、
前記段差部と前記折り曲げ部とが係合することにより前記回転部材の回転を抑止すること、
を特徴とする光学部品。
【請求項９】
請求項５から請求項８までのいずれか１項に記載の光学部品において、
光軸の垂直平面内でシフトするブレ補正部を有し、
前記回転部材は、回転に応じて前記ブレ補正部のロック状態と前記ブレ補正部の可動状態とを切り替える部材であること、
を特徴とする光学部品。
【請求項１０】
請求項５から請求項９までのいずれか１項に記載の光学部品を備える光学装置。
【発明の詳細な説明】
【技術分野】
【０００１】
本発明は、付勢部材，光学部品及び光学装置に関するものである。
【背景技術】
【０００２】
従来技術として、板バネによって光源ユニットを光軸方向に付勢する光源装置が知られている（例えば、特許文献１参照）。
しかし、従来の方法では、板バネで付勢する対象物が回転するものであった場合に、板バネ自身がその対象物から回転力を受けてしまい、付勢力量の安定化を図ることができなかった。
【特許文献１】特開２００５−１１５２５７号公報
【発明の開示】
【発明が解決しようとする課題】
【０００３】
本発明の課題は、好適な付勢力を与えることができる付勢部材，光学部品及び光学装置を提供することである。
【課題を解決するための手段】
【０００４】
本発明は、以下のような解決手段により前記課題を解決する。なお、理解を容易にするために、本発明の一実施形態を示す図面に対応する符号を付して説明するが、これに限定されるものではない。
請求項１の発明は、互いに対向して備えられた第１の平面（４１−１）及び第２の平面（４１−２）を有する支持部（４１）と、前記第１の平面（４１−１）から屈折して備えられた第１の付勢部（４２−１）と、前記第２の平面（４１−２）から屈折して前記第１の付勢部（４２−１）に対向して備えられた第２の付勢部（４２−２）とを含むこと、を特徴とする付勢部材（４０）である。
請求項２の発明は、請求項１に記載の付勢部材（４０）において、前記第１の平面（４１−１）及び前記第２の平面（４１−２）の少なくとも一方は、取り付け用の係合溝（４３）を有すること、を特徴とする付勢部材（４０）である。
請求項３の発明は、請求項１又は請求項２に記載の付勢部材（４０）において、前記第１の付勢部（４２−１）及び前記第２の付勢部（４２−２）の少なくとも一方は、付勢状態を維持する折り曲げ部（４４）を有すること、を特徴とする付勢部材（４０）である。
請求項４の発明は、請求項１から請求項３までのいずれか１項に記載の付勢部材（４０）において、この付勢部材（４０）は、１つの板材を折り曲げて形成されていること、を特徴とする付勢部材（４０）である。
請求項５の発明は、請求項１から請求項４までのいずれか１項に記載の付勢部材（４０）と、固定部材（５０）に対して相対的に回転する回転部材（３０）とを含む光学部品（６）であって、前記付勢部材（４０）は、前記第１の平面（４１−１）及び前記第２の平面（４１−２）が前記固定部材（５０）に固定され、前記第１の付勢部（４２−１）及び前記第２の付勢部（４２−２）の少なくとも一方が前記回転部材（３０）を付勢すること、を特徴とする光学部品（６）である。
請求項６の発明は、請求項５に記載の光学部品（６）において、前記固定部材（５０）は、突起部（６０）を有し、前記付勢部材（４０）は、前記第１の平面（４１−１）と前記第２の平面（４１−２）とで前記突起部（６０）を挟み込んでいること、を特徴とする光学部品（６）である。
請求項７の発明は、請求項６に記載の光学部品（６）において、前記第１の平面（４１−１）及び前記第２の平面（４１−２）の少なくとも一方は、取り付け用の係合溝（４３）を有し、前記突起部（６０）は、前記係合溝（４３）と係合する係合部（６１）を有すること、を特徴とする光学部品（６）である。
請求項８の発明は、請求項５から請求項７までのいずれか１項に記載の光学部品（６）において、前記回転部材（３０）は、その外縁に段差部（３５）を有し、前記付勢部材（４０）の付勢部（４２−１，４２−２）は、付勢状態を維持する折り曲げ部（４４）を有し、前記段差部（３５）と前記折り曲げ部（４４）とが係合することにより前記回転部材（３０）の回転を抑止すること、を特徴とする光学部品（６）である。
請求項９の発明は、請求項５から請求項８までのいずれか１項に記載の光学部品（６）において、光軸の垂直平面内でシフトするブレ補正部（２０）を有し、前記回転部材（３０）は、回転に応じて前記ブレ補正部（２０）のロック状態と前記ブレ補正部（２０）の可動状態とを切り替える部材であること、を特徴とする光学部品（６）である。
請求項１０の発明は、請求項５から請求項９までのいずれか１項に記載の光学部品（６）を備える光学装置（１）である。
なお、本発明をわかりやすく説明するために実施形態を示す図面の符号に対応付けて説明したが、本発明は、これに限定されるものでなく、後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明の効果】
【０００５】
本発明によれば、好適な付勢力を与えることができる付勢部材，光学部品及び光学装置を提供することができる。
【発明を実施するための最良の形態】
【０００６】
以下、図面等を参照して、本発明の実施形態をあげて、さらに詳しく説明する。なお、本発明の光学装置は、例えば、スチルカメラ、ビデオカメラ、レンズ一体型カメラのレンズ鏡筒、レンズ交換式カメラの交換用レンズ鏡筒、双眼鏡、望遠鏡等とすることができるが、以下の実施形態では、一眼レフ型のカメラを例にとって説明する。
【０００７】
［実施形態］
図１は、実施形態のカメラを示す模式図である。
本実施形態のカメラ１は、レンズ鏡筒２と、このレンズ鏡筒２が着脱可能なカメラ本体３等とを備える。
レンズ鏡筒２は、ブレ検出センサ４，５と、ブレ補正ユニット６とを備える。
カメラ本体３は、レリ−ズスイッチ７を備える。
【０００８】
ブレ検出センサ４，５は、ジャイロセンサ等の角速度センサにより形成されたブレ検出部である。ブレ検出センサ４，５は、ブレ補正ユニット６の光軸Ｚに略垂直な面内で直交する２方向の検出軸（Ｘ軸，Ｙ軸）周りの角速度を検出し、レリ−ズスイッチ７の操作時に、これら２方向各々の加速度成分を出力する。Ｙ軸まわりのブレは、ヨーイング（Ｙａｗｉｎｇ）と呼ばれ、Ｘ軸まわりのブレは、ピッチング（Ｐｉｔｃｈｉｎｇ）と呼ばれ、ブレ補正動作は、通常、この２方向のブレに起因する像ブレを補正することにより行われる。
【０００９】
ブレ補正ユニット６は、撮影光学系の一部を形成し、光軸Ｚに略直交する面内で撮影光学系の焦点面に配置された不図示の撮像素子やフィルムに対して、撮影者の手ブレ等に起因する被写体像の像ブレを打ち消す方向に移動することにより、像ブレを補正するブレ補正光学系である（ブレ補正ユニット６の詳細は後述する）。
ブレ補正動作時には、ブレ検出センサ４，５によるブレの検出結果に基づいて、不図示の演算部によりブレ補正ユニット６のレンズＬの駆動方向及び駆動量を算出し、その算出結果に従いブレ補正ユニット６を駆動制御して、像ブレの補正を行う。
【００１０】
図２は、ブレ補正ユニット６の詳細を示す図であり、ブレ補正ユニット６を被写体側から分解した斜視図である。
ブレ補正ユニット６は、被写体側から順に、蓋部材１０と、保持枠２０と、ロックリング３０と、付勢バネ４０と、ベース部材５０等とを備える。
【００１１】
蓋部材１０は、ベース部材５０との間で保持枠２０を挟み込むようにベース部材５０に対して固定される部材である。
蓋部材１０は、ベース部材５０の係合凹部５１に対応する位置に不図示の係合凸部を有しており、これがベース部材５０の係合凹部５１と係合するとともに、不図示のビスがビス止め部１２にねじ込まれることにより、ベース部材５０に対して固定される。
蓋部材１０には、不図示のマグネット及び図示のヨーク１３Ｘ，１３Ｙが、それぞれ保持枠２０のコイル２１Ｘ，２１Ｙに対向する位置に設けられている。
【００１２】
蓋部材１０には、保持枠２０のバネかけ部２３に対応するバネかけ部１４が設けられており、両者のバネかけ部に不図示のバネをかけることで、蓋部材１０と保持枠２０とが引き合うように固定される。
また、蓋部材１０と保持枠２０との間には、不図示の３つのボールが配置され、このボールは、蓋部材１０と保持枠２０のボール受け部２４との間に設けられている。これにより、保持枠２０は、光軸の垂直平面内で自在にシフトできるようになっている。
さらに、蓋部材１０の側面には、不図示のカムピンが取り付けられるカムピン挿入部１５が設けられている。
【００１３】
保持枠２０は、レンズＬを保持し、光軸の垂直平面内でシフトする部材であり、コイル２１Ｘ，２１Ｙと、位置検出用マグネット２２Ｘ，２２Ｙと、凸部２５とを備える。
コイル２１Ｘ，２１Ｙは、光軸に直交する面内（ＸＹ平面内）において保持枠２０を任意の方向に駆動するブレ補正駆動部としてのアクチュエータを構成する部材であり、Ｘ方向駆動用のコイル２１ＸとＹ方向駆動用のコイル２１Ｙとの２つのコイルがＸ軸，Ｙ軸に沿って２方向に分けて保持枠２０に固定されている。
保持枠２０を駆動するアクチュエータは、コイル２１Ｘ，２１Ｙの他、蓋部材１０の不図示のマグネット及びヨーク１３Ｘ，１３Ｙ等を構成部品とし、これらが組み合わさることにより、ボイスコイルモータが形成されている。
【００１４】
位置検出用マグネット２２Ｘ，２２Ｙは、保持枠２０の位置を検出するためのものであり、Ｘ方向の位置検出用マグネット２２Ｘと、Ｙ方向の位置検出用マグネット２２Ｙとの２つのマグネットがＸ軸，Ｙ軸に沿って２方向に分けて保持枠２０に固定されている。
保持枠２０の位置を検出する位置検出部は、位置検出用マグネット２２Ｘ，２２Ｙ、及び、不図示のホール素子等を構成部品とし、これらが組み合わさることにより、保持枠２０の位置を検出する。
【００１５】
凸部２５は、撮像素子側に突出して、かつ、保持枠２０の周回りに沿って８つ設けられており、ロックリング３０の内周側に設けられた８つの凹部３１と係合する。
このような構成により、保持枠２０の凸部２５と、ロックリング３０の凹部３１とが、光軸回りにおいて重なった位相にあるときは、凸部２５は凹部３１の内側にかつ凹部３１の内壁から所定間隔離れて配置され、凹部３１の凹みの範囲内で保持枠２０は変位可能となる（ロック解除状態；ブレ補正をする状態）。
一方、保持枠２０の凸部２５と、ロックリング３０の凹部３１とが、光軸回りにおいて重なった位相にないときは、凹部３１と凹部３１との間の連結部３２に凸部２５が乗り上げ、保持枠２０の光軸と直交する方向への変位が制限される（ロック状態；ブレ補正をしない状態）。
【００１６】
ロックリング３０は、ベース部材５０と相対的に回転（例えば、１８度ずつ回転）する部材であり、回転に応じて保持枠２０のロック状態と保持枠２０のロック解除状態とを切り替える部材である。
また、ロックリング３０は、保持枠２０とベース部材５０との間に設けられ、光軸と略同心の円環状に形成されている。
【００１７】
さらに、ロックリング３０は、その外周面の一部から、外径側に張り出して形成され、後述するロック用アクチュエータのコイル３３が固定されるコイル固定部３４と、コイル固定部３４と同じように外周面の一部から外径側に張り出して形成された段差部３５を有する。
段差部３５の一端は、付勢バネ４０の第１の付勢部４２−１と係合可能であり（図中矢印Ａ参照）、段差部３５の他端は、付勢バネ４０の第２の付勢部４２−２と係合可能である（図中矢印Ｂ参照）。
【００１８】
コイル３３は、保持枠２０のレンズＬの位置よりも外径側に設けられ、光軸に対して略直交する面内で環状に巻かれた巻線を備える。
また、コイル３３は、その平面形状が、径方向にわたって略一定の幅を有する略円弧状に形成され、その内径側を光軸側に向けて配置されている。
さらに、コイル３３は、コイル３３の巻線に通電したときに、作用する電磁力によってロックリング３０を光軸回りに回転させる駆動力を発生させる。
【００１９】
ロックリング３０は、ベース部材５０に形成されたガイド用の突起（不図示）によって、光軸回りに回転可能に支持されている。そして、ロックリング３０は、その外周面をベース部材５０のガイド用の突起と摺動させて、上述したロック状態の位置とロック解除状態の位置との間を回転移動可能となっている。
【００２０】
ロック用アクチュエータは、コイル３３と、ベース部材５０の２つのマグネット５２及びこのマグネット５２より撮像素子側に配置された不図示のヨークと、ベース部材５０のヨーク５３及びこのヨーク５３より撮像素子側に配置された不図示のマグネット２つとから構成されたボイスコイルモータであって、ロックリング３０を、ベース部材５０に対して、光軸回りに所定の角度範囲内で回転駆動させる。
【００２１】
付勢バネ４０は、ベース部材５０に形成された突起部６０に固定され、ロックリング３０を付勢する部材であり、いわゆるラッチバネと呼ばれる部材である。
図３は、付勢バネ４０の詳細を示す図であって、図３（Ａ）は、折り曲げ後の付勢バネ４０を示す図であり、図３（Ｂ）は、折り曲げ前の付勢バネ４０を示す図である。
図３（Ａ）に示すように、付勢バネ４０は、付勢バネ４０の土台となる支持部４１と、支持部４１に接続された付勢部４２とを備える。
支持部４１は、互いに対向して備えられた第１の平面４１−１及び第２の平面４１−２と、第１の平面４１−１と第２の平面４１−２とを天井部分で接続する接続部４１−３とを有し、第１の平面４１−１と第２の平面４１−２とは、所定方向（図中矢印Ｃ方向）に延びている。ここで、対向とは、向き合うことをいい、面と面とが略平行に向き合うことのみならず、面と面とが所定の角度を持って向き合うことも含む概念である。
【００２２】
付勢部４２は、第１の平面４１−１及び第２の平面４１−２の端部から延在しており、第１の平面４１−１から屈折して備えられた第１の付勢部４２−１と、第２の平面４１−２から屈折して第１の平面４１−１に対向して備えられた第２の付勢部４２−２とを含む。
所定方向は、ロックリング３０（図２参照）の回転軸の軸方向や、カメラ１の光軸と交差する方向である。
【００２３】
支持部４１は、第１の平面４１−１，接続部４１−３，第２の平面４１−２にわたって形成された取り付け用の係合溝４３を有する。
第１の付勢部４２−１及び第２の付勢部４２−２は、この付勢バネ４０の付勢状態を維持し、ラッチするための折り曲げ部４４を有する。
第１の付勢部４２−１及び第２の付勢部４２−２は、支持部４１側から順に、第１の折り曲げ線Ｌ１と、第２の折り曲げ線Ｌ２と、第３の折り曲げ線Ｌ３とを有し、折り曲げ部４４は、第２の折り曲げ線Ｌ２と第３の折り曲げ線Ｌ３との間の部分である。
【００２４】
そして、この付勢バネ４０は、図３（Ｂ）に示すように、１つの板材を所定の形状に打ち抜き、係合溝４３用の孔４３ａを形成し、上述した各折り曲げ線Ｌ１〜Ｌ３と、天井部分の第４の折り曲げ線Ｌ４とで折り曲げることにより形成され、最終的には、図３（Ａ）に示すような付勢バネ４０が完成する。
【００２５】
図２に示すように、ベース部材５０は、ブレ補正ユニット６の土台となる部材であり、このベース部材５０に対して、上述した各部材が取り付けられる。
ベース部材５０には、ロックリング３０のコイル３３に対応する位置に、コイル３３を挟み込むようにマグネットが４つ配置されており、そのうちの２つであるマグネット５２は、不図示のヨークとともにコイル３３より撮像素子側に、残りの２つである不図示のマグネットはヨーク５３とともにコイル３３より被写体側に、それぞれ固定されている。
また、ベース部材５０の被写体側には、付勢バネ４０を取り付けるための突起部６０が設けられている。
さらに、ベース部材５０の撮像素子側には、ブレ補正ユニット６と不図示の主基板とを接続するＦＰＣ（フレキシブルプリント配線板）５４が設けられている。
【００２６】
上記４つのマグネットは、光軸に沿った方向から見た平面形状が、略長方形状に形成されている。
上記２つのヨークは、所定間隔を隔てて２対のマグネットを覆っており、組立て時には、この所定間隔の隙間にロックリング３０のコイル３３が配置される。
【００２７】
図４は、ベース部材５０の突起部６０の詳細を説明する図であって、図４（Ａ）は結合前の図であり、図４（Ｂ）は結合後の図である。
突起部６０は、ベース部材５０（図２参照）の被写体側に、光軸方向に突出して設けられている。
突起部６０は、突起部６０の外側へ突出し、付勢バネ４０の係合溝４３と係合する係合突起部６１を有する。なお、取り付けを容易にするために、係合突起部６１は、ベース部材５０に向かうにつれてこの係合突起部６１の断面積を広がらせる傾斜面を有することが好ましい。
そして、突起部６０に付勢バネ４０を取り付けると、図４（Ｂ）に示すような状態となる。
このとき、付勢バネ４０の支持部４１の第１の平面４１−１及び第２の平面４１−２が、ベース部材５０の突起部６０に固定され、付勢バネ４０は、第１の平面４１−１と第２の平面４１−２とで突起部６０を挟み込んでいる。
【００２８】
図５は、ベース部材５０の突起部６０に装着された付勢バネ４０が、ロックリング３０を付勢している状態を示す図である。
付勢バネ４０の付勢部４２は、ロックリング３０を付勢しており、ロックリング３０の姿勢を保持（維持）している。
また、付勢バネ４０の付勢部４２は、ベース部材５０と接触せずに、ロックリング３０を付勢している。
さらに、第１の付勢部４２−１は、ロックリング３０の回転を抑止しており、第２の付勢部４２−２は、ロックリング３０を径方向に付勢している。
さらにまた、付勢バネ４０の折り曲げ部４４は、ロックリング３０の段差部３５の端部と係合することにより、ロックリング３０の回転を抑止している。
【００２９】
次に、図１及び図２を用いて、本実施形態のブレ補正ユニット６の動作について説明する。
ブレ補正ユニット６は、カメラ１の光学系に加わった振動を、ブレ検出センサ４，５によって検出し、この振動に応じてブレ補正ユニット６の保持枠２０を、光軸に対して略直交方向に変位させることによって、結像面における像ブレを低減させる。
本実施形態のブレ補正ユニット６は、ブレ補正ユニット６の不使用時に、光軸に対する保持枠２０の位置を一時的にロックするロックリング３０を備えている。
そして、このロックリング３０を必要に応じて回転させ、その位置関係により保持枠２０をロックしたり、ロックを解除したりする。
【００３０】
このような動作状況において、本実施形態では、上述した構成の付勢バネ４０を備えているので、以下のような効果がある。
（１）付勢バネ４０は、互いに対向する第１の平面４１−１と第２の平面４１−２とを有する支持部４１を備えるので、第１の平面４１−１と第２の平面４１−２とで回転力を受けることができ、付勢力量の安定化を図ることができる。
また、ベース部材５０の突起部６０に付勢バネ４０を確実に保持させつつ、付勢バネ４０自身の回転を抑制することができ、より一層、付勢力量を安定させることができる。
（２）第１の平面４１−１から屈折して備えられた第１の付勢部４２−１と、第２の平面４１−２から屈折して第１の付勢部４２−１に対向して備えられた第２の付勢部４２−２とを有するので、付勢力を左右で均一にすることができる。
【００３１】
（３）第１の平面４１−１及び第２の平面４１−２は、取り付け用の係合溝４３を有するので、ベース部材５０の突起部６０に簡単に取り付けることができ、作業性も向上させることができる。
（４）付勢部４２は、付勢状態を維持する折り曲げ部４４を有するので、ロックリング３０の段差部３５の端部に、容易に引っ掛けることができる。
【００３２】
（５）折り曲げ線Ｌ２，Ｌ３によって折り曲げ部４４を形成しているので、折り曲げるだけの簡単な作業で、折り曲げ部４４を形成することができる。
（６）付勢バネ４０は、１つの板材を折り曲げて形成されているので、製造を簡略化し、製造コストも抑えることができる。
【００３３】
（７）上述した付勢バネ４０を備えるブレ補正ユニット６としたので、ブレ補正ユニット６自体の精度を向上させることができる。
（８）付勢バネ４０の支持部４１は、ベース部材５０の突起部６０に固定され、付勢バネ４０の付勢部４２は、ロックリング３０を付勢しているので、配置的に効率よく付勢を行うことができる。
また、限られた空間において、ベース部材５０に付勢バネ４０を確実に固定しつつ、所望の力量を出すことができる。
【００３４】
（９）付勢バネ４０の付勢部４２は、ベース部材５０と接触せずに、ロックリング３０を付勢しているので、付勢部４２の長さを最大限活かした付勢を行うことができる。
また、付勢力を左右するバネの長さを任意にとることができるので、付勢部４２を根元からバネとして使用でき、付勢バネ４０の設計の自由度が高い。
（１０）付勢バネ４０の付勢部４２は、ロックリング３０の姿勢を保持するので、ロック機構を有するブレ補正ユニット６に好適である。
【００３５】
（１１）第１の付勢部４２−１は、ロックリング３０の回転を抑止しており、第２の付勢部４２−２は、ロックリング３０を付勢しているので、バランスよく付勢を行うことができる。
（１２）ロックリング３０は、その外縁に段差部３５を有し、段差部３５と折り曲げ部４４とが係合することによりロックリング３０の回転を抑止しているので、段差部３５に折り曲げ部４４を引っ掛けることで簡単にロックすることができる。
【００３６】
（１３）所定方向は、ロックリング３０の回転軸の軸方向と交差する方向であるので、ロックリング３０をより直接的に付勢することができる。
（１４）付勢バネ４０は、第１の平面４１−１と第２の平面４１−２とで突起部６０を挟み込んでいるので、第１の平面４１−１と第２の平面４１−２との２つの面で、回転力を効率よく受けることができる。
また、付勢バネ４０の第１の平面４１−１と第２の平面４１−２との内側の部分が突起部６０に接することで、付勢バネ４０自身が回転することも抑制することができる。
さらに、付勢バネ４０が回転することがないので、部品精度にかかわらず、付勢力量を一定に保つことができる。
【００３７】
（１５）突起部６０は、係合溝４３と係合する係合突起部６１を有するので、簡単に取り付けることができる。しかも、付勢バネ４０を確実に固定しつつ、所望の力量を出しやすい機構とすることができる。
また、突起部６０の係合突起部６１が、付勢バネ４０の係合溝４３に挿入されることで、付勢バネ４０が突起部６０からはずれることを防止できる。これにより、付勢バネ４０を他部材で押さえる必要がなくなる。
さらに、取り付け時に、接着剤等を併用する手間を省くことができ、作業性を向上させることができる。
（１６）突起部６０の係合突起部６１に傾斜面を備えさせることによって、付勢バネ４０を容易に取り付けることができる。
【００３８】
（１７）ロックリング３０は、回転に応じてブレ補正ユニット６のロック状態とロック解除状態とを切り替える部材であるので、ロックリング３０を予め有するブレ補正ユニット６にそのまま適用できる。
（１８）保持枠２０の凸部２５と、ロックリング３０の凹部３１とが係合している状態が可動状態となっているので、ロック状態とロック解除状態とを効率よく切り替えることができる。
【００３９】
（１９）上述したブレ補正ユニット６を備えるカメラ１としたので、光学性能のよいカメラとすることができる。
【００４０】
［変形形態］
上述した実施形態は、以下の変形も可能である。
（１）付勢バネ４０は、１つ配置する例で説明したが、２つ以上配置してもよい。
（２）付勢バネ４０は、カメラのダイヤルスイッチのロック機構や電池パックの接続端子などに使用してもよい。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００４１】
【図１】実施形態のカメラを示す模式図である。
【図２】ブレ補正ユニット６の詳細を示す図であり、ブレ補正ユニット６を被写体側から分解した斜視図である。
【図３】付勢バネ４０の詳細を示す図である。
【図４】ベース部材５０の突起部６０の詳細を説明する図である。
【図５】ベース部材５０の突起部６０に装着された付勢バネ４０が、ロックリング３０を付勢している状態を示す図である。
【符号の説明】
【００４２】
１：カメラ、６：ブレ補正ユニット、２０：保持枠、３０：ロックリング、３５：段差部、４０：付勢バネ、４１：支持部、４１−１：第１の平面、４１−２：第２の平面、４２−１：第１の付勢部、４２−２：第２の付勢部、４３：係合溝、４４：折り曲げ部、５０：ベース部材、６０：突起部、６１：係合突起部
【図１】
2009015072.tif 000003
【図２】
2009015072.tif 000004
【図３】
2009015072.tif 000005
【図４】
2009015072.tif 000006
【図５】
2009015072.tif 000007